(57)【要約】      （修正有）【課題】回路板上に溶接し、しかも生産コストを低下させることができる電機コネクターを提供する。【解決手段】複数の端子２０、３０は、絶縁本体１０の端子槽１１１、１１２内に挿入して設置され、少なくとも１個の固定部品４０は、絶縁本体１０上に固定して支持され、固定部品４０は、嵌合支持部、固定支持部、溶接部、位置限定部を備え、固定支持部は、固定槽１２１内に収容され、しかも固定槽１２１内において上下左右に移動可能で、溶接部は、回路板上に溶接され、少なくとも１個の安定固定部品５０は、絶縁本体１０上に固定して支持され、位置限定部は、安定固定部品５０の変形を制限し、電気コネクター１００は、固定部品４０を短く設計することで、組み立て公差を縮小し、製造を容易とし、しかも固定部品４０の溶接部と端子２０、３０の溶接ピン２１、３１を同一面に位置させるという要求を達成し、同一面に位置することによる効果を確保することができる。【選択図】図４
0003160103.tif 000002
【実用新案登録請求の範囲】
【請求項１】
回路板上に組み立て、絶縁本体、複数の端子、少なくとも１個の固定部品、少なくとも１個の安定固定部品を備え、
前記絶縁本体には、複数の端子槽を開設し、前記絶縁本体は、本体部、及び前記本体部前端両側位置からそれぞれ延伸して形成する延伸アームを備え、前記本体部前側には、係合支持槽を開設し、前記延伸アーム上には、固定槽を設置し、
前記複数の端子は、前記絶縁本体の端子槽内に挿入して設置され、
前記少なくとも１個の固定部品は、前記絶縁本体上に固定して支持され、前記固定部品は、嵌合支持部、固定支持部、溶接部、位置限定部を備え、前記固定支持部は、前記固定槽内に収容され、しかも前記固定槽内において上下左右に移動可能で、前記溶接部は、回路板上に溶接され、
前記少なくとも１個の安定固定部品は、前記絶縁本体上に固定して支持され、前記位置限定部は、前記安定固定部品の変形を制限することを特徴とする電気コネクター。
【請求項２】
前記安定固定部品には、棒状の係合支持部を設置し、前記係合支持部は、前記絶縁本体の係合支持槽内に係合して支持され、
前記安定固定部品は、中部下端から内側へと湾曲して延伸し、さらに後方へと湾曲して延伸し、停止ブロックを形成することを特徴とする請求項１に記載の電気コネクター。
【請求項３】
前記固定支持部外側は外へと突出して、凸包を形成することを特徴とする請求項１に記載の電気コネクター。
【請求項４】
前記固定部品は、平板状の嵌合支持部、前記嵌合支持部外側縁後端から下方へと湾曲して延伸し形成する固定支持部、前記嵌合支持部外側縁前端から下方へと湾曲し、さらに内側へと湾曲して延伸し形成する溶接部、前記溶接部から上方へと湾曲して延伸し、さらに外側へ向い上方へと湾曲して延伸し形成する位置限定部を備えることを特徴とする請求項１に記載の電気コネクター。
【請求項５】
前記係合支持部上端辺縁位置は、外へと向かい湾曲して延伸し、係合ブロックを形成し、
前記係合ブロックは、前記絶縁本体の本体部両側前端位置に接触して押さえることを特徴とする請求項２に記載の電気コネクター。
【考案の詳細な説明】
【技術分野】
【０００１】
本考案はコネクターに関し、特に電気コネクターに関する。
【背景技術】
【０００２】
図１、２に示すように、従来の電気コネクター１００’は、絶縁本体１０’、複数の端子２０’、絶縁本体１０’両側にそれぞれ設置して定位する安定固定部品３０’と２個の溶接部品４０’を備える。絶縁本体１０’上には、複数の端子槽１１’を開設する。絶縁本体１０’前端両側には、それぞれ固定支持槽１２’を開設する。複数の端子２０’は、複数の端子槽１１’中に挿入して設置し、複数の端子２０’はすべて、回路板上の溶接ピン２１’に溶接する。安定固定部品３０’は、固定支持部３１’、固定支持部３１’上端辺縁から外へ向かい、さらに下方へと湾曲して延伸し形成する係合ブロック３２’、係合ブロック３２’下端から前方へと延伸して形成する延伸アーム３３’、延伸アーム３３’末端から内側へと湾曲して延伸し形成する基板３４’を備える。基板３４’上には、２個の開槽３４１’を開設する。溶接部品４０’は、回路板上に溶接する２個の溶接面４１’を備える。安定固定部品３０’の固定支持部３１’は、固定支持槽１２’中に固定して支持する。係合ブロック３２’は、絶縁本体１０前端の両側位置に接触して押す。安定固定部品３０’により、電子カードは、電気コネクター１００’上に安定的に挿入され、左右に移動することはない。溶接部品４０’は、基板３４’の開槽３４１’中に設置し、しかも溶接部品４０’は、開槽３４１’中において、上下左右に移動し、溶接面４１’は、回路板上に溶接される。
【０００３】
上記構造において、電子カードを抜き挿しする時には、電気コネクター１００’が上へと跳ね上がるため、複数の端子２０’の溶接ピン２１’が緩み易い。従来の電気コネクター１００’は、回路板に溶接する時、２個の溶接部品４０’の溶接面４１’と複数の端子２０’の溶接ピン２１’を、同一平面上に位置させる必要がある。しかし、安定固定部品３０’はより長いため、溶接部品４０’の溶接面４１’と複数端子２０’の溶接ピン４１’の底面を、同一水平面上に位置させるのは、非常に困難である。そのため、組み立ての公差が大きくなり、製造上の要求は高く、かつ複雑となり、製造コストの低下に不利である。本考案は、従来の電気コネクターの上記した欠点に鑑みてなされたものである。
【考案の概要】
【考案が解決しようとする課題】
【０００４】
本考案が解決しようとする課題は、回路板上に溶接し、しかも生産コストを低下させられる電気コネクターを提供することである。
【課題を解決するための手段】
【０００５】
上記課題を解決するため、本考案は下記の電気コネクターを提供する。
電気コネクターは、回路板上に組み立て、絶縁本体、複数の端子、少なくとも１個の固定部品、少なくとも１個の安定固定部品を備え、
該絶縁本体には、複数の端子槽を開設し、該絶縁本体は、本体部、及び該本体部前端両側位置からそれぞれ延伸して形成する延伸アームを備え、該本体部前側には、係合支持槽を開設し、該延伸アーム上には、固定槽を設置し、該複数の端子は、該絶縁本体の端子槽内に挿入して設置され、
該少なくとも１個の固定部品は、該絶縁本体上に固定して支持され、該固定部品は、嵌合支持部、固定支持部、溶接部、位置限定部を備え、該固定支持部は、該固定槽内に収容され、しかも該固定槽内において上下左右に移動可能で、該溶接部は、回路板上に溶接され、
該少なくとも１個の安定固定部品は、該絶縁本体上に固定して支持され、該位置限定部は、該安定固定部品の変形を制限する。
【考案の効果】
【０００６】
本考案電気コネクターは、固定部品を短く設計することで、組み立て公差を縮小し、製造を容易とし、しかも固定部品の溶接部と端子の溶接を同一面に位置させるという要求を達成し、同一面に位置することによる効果を確保することができる。
【図面の簡単な説明】
【０００７】
【図１】従来の電気コネクターの立体図である。
【図２】従来の電気コネクターの立体分解図である。
【図３】本考案電気コネクターの一実施例の立体図である。
【図４】図３に示す電気コネクターの立体分解図である。
【図５】図３に示す電気コネクターの固定部品の立体図である。
【考案を実施するための形態】
【０００８】
以下に図面を参照しながら本考案を実施するための最良の形態について詳細に説明する。
【実施例】
【０００９】
図３、４に示すように、本考案電気コネクター１００は、絶縁本体１０、複数の第一端子２０、複数の第二端子３０、２個の固定部品４０、２個の安定固定部品５０を備える。
【００１０】
図４、５に示すように、絶縁本体１０は、矩形板状の本体部１１、及び本体部１１前端両側下部分からそれぞれ前方へと延伸して形成する延伸アーム１２を備える。本体部１１は、前端から後方へ向かい、複数の第一端子槽１１１を開設し、後端上部には、前方へ向かい、複数の第二端子槽１１２を開設する。本体部１１前端両側の上部分には、係合支持槽１１３をそれぞれ開設する。延伸アーム１２上表面内側は、下方へと向かい、固定槽１２１を開設し、延伸アーム上表面外側は、上方へと向かい、凸辺１２２を突出状に形成する。
【００１１】
複数の第一端子２０は、絶縁本体１０上の複数の第一端子槽１１１内に挿入して設置する。複数の第二端子３０は、絶縁本体１０の複数の第二端子槽１１２内に挿入して設置する。複数の第一端子２０及び複数の第二端子３０は、それぞれ溶接ピン２１、３１を備える。
【００１２】
固定部品４０は、平板状の嵌合支持部４１、嵌合支持部４１外側縁後端から下方へと湾曲して延伸し形成する固定支持部４２、嵌合支持部４１外側縁前端から下方へと湾曲し、さらに内側へと湾曲して延伸し形成する溶接部４３、溶接部４３から上方へと湾曲して延伸し、さらに外側へ向かい上方へと湾曲して延伸し形成する位置限定部４４を備える。固定支持部４２外側は外へと突出して、凸包４２１を形成する。凸包４２１により、固定部品４０が固定槽１２１中から退出しないよう防止する。
【００１３】
安定固定部品５０は、絶縁本体１０上に固定して支持され、棒状の係合支持部５１を備える。係合支持部５１上端辺縁位置は、外へと向かい、さらに下方へと湾曲して延伸し、係合ブロック５２を形成する。安定固定部品５０中部下端から内側へと湾曲して延伸し、さらに後方へと湾曲して延伸し、停止ブロック５３を形成する。安定固定部品５０により、電子カードは電気コネクター１００上に安定的に挿入して固定され、左右に移動することはない。
【００１４】
本考案の組み立て時には、複数の第一端子２０と複数の第二端子３０の溶接ピン２１、３１を、回路板上に溶接する。固定部品４０の固定支持部４２を、絶縁本体１０の固定槽１２１中に収容し、しかもそれは固定槽１２１内において上下左右に移動することができる。嵌合支持部４１は、絶縁本体１０の延伸アーム１２上端面に嵌合して支持する。位置限定部４４は、安定固定部品５０外側に位置し、電子カードが電気コネクター１００に挿入された時に安定固定部品５０に発生する変形を制限する。溶接部４３は、回路板上に溶接するため、電子カードを抜き差しする時にも、電気コネクター１００が跳ね上がり、第一端子２０、第二端子３０の溶接ピン２１、３１が緩むという状況は発生しにくくなる。安定固定部品５０の係合支持部５１は、絶縁本体１０の係合支持槽中に係合して支持される。係合ブロック５２は、絶縁本体１０の本体部１１両側前端位置に接触して押さえる。停止ブロック５３は、固定部品４０上方に位置し、固定部品４０を押さえて、固定部品の脱落を防止する。
【００１５】
上記したように、本考案の電気コネクター１００は、固定部品４０を短く設計することで、組み立て公差を縮小し、製造を容易とし、しかも固定部品４０の溶接部４３と端子の溶接ピン２１、３１を同一面に位置させるという要求を達成し、同一面に位置することによる効果を確保することができる。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１７】
本考案は実用新案の要件である新規性を備え、従来の同類製品に比べ十分な進歩を有し、実用性が高く、社会のニーズに合致しており、産業上の利用価値は非常に大きい。
【符号の説明】
【００１８】
１００  電気コネクター
１０  絶縁本体
１１  本体部
１１１  第一端子槽
１１２  第二端子槽
１１３  係合支持槽
１２  延伸アーム
１２１  固定槽
１２２  凸辺
２０  第一端子
２１  溶接ピン
３０  第二端子
３１  溶接ピン
４０  固定部品
４１  嵌合支持部
４２  固定支持部
４２１  凸包
４３  溶接部
４４  位置限定部
５０  安定固定部品
５１  係合支持部
５２  係合ブロック
５３  停止ブロック
【図１】
0003160103.tif 000003
【図２】
0003160103.tif 000004
【図３】
0003160103.tif 000005
【図４】
0003160103.tif 000006
【図５】
0003160103.tif 000007